(57)【要約】【課題】電源ユニットの主予備電源手段の劣化による放電容量の減少を補うため、スペース上比較的余裕のある主制御ユニットや副制御ユニットの配線板に、補助予備電源手段を設ける予備領域を予め確保するようにした遊技機を提供する。【解決手段】賞球制御ユニットＣＵの配線板７０には、補助コンデンサ１００を設けるための予備領域Ａが予め設けられている。当該補助コンデンサ１００は、電解コンデンサ６０の劣化の際に、これを補うべく、電源ユニットＰＵの電解コンデンサ６０と並列コンデンサ回路を構成するために用いられる。【選択図】    図１
2004187994.tif 000002
【特許請求の範囲】
【請求項１】
外部電源に接続される電源ユニットを設けてなる遊技機本体と、
この遊技機本体に着脱可能に組み付けられる遊技ユニットと、この遊技ユニットの制御ユニットとを備え、
前記電源ユニットは、前記外部電源から給電されたとき直流出力を発生する直流出力源と、この直流出力源の直流出力で充電される主予備電源手段とを備え、前記制御ユニットは、配線板と、この配線板に設けられて当該配線板を介し前記直流出力源から直流出力を受けて遊技状態を制御する制御手段とを備え、
前記外部電源の給電遮断時には、前記制御手段は、前記直流出力に代えて、前記主予備電源手段の充電出力を受けて、前記遊技状態の保全処理を行うようにした遊技機において、
前記配線板には、前記主予備電源手段の劣化に伴う放電容量の減少を補うように、当該主予備電源手段と並列予備電源回路を構成する補助予備電源手段を設けるための予備領域が予め設けられていることを特徴とする遊技機。
【発明の詳細な説明】
【０００１】
【発明の属する技術分野】
本発明は、パチンコ機やスロットマシン等の遊技機に関するものである。
【０００２】
【従来の技術】
従来、例えば、パチンコ機は、枠状本体と、この枠状本体とは別体であって当該枠状本体に着脱可能に組み付けられる遊技盤とによって構成されている。これは、機種交換の際に、枠状本体を残して、遊技盤のみを交換することで別機種にするためである。このような観点に加え、当該パチンコ機では、通常、集中電源方式が採用されていることから、交換の必要性が低い電源ユニットは枠状本体に設けられ、一方、繰り返し交換の必要性の高い主制御ユニットの他、音声制御ユニット、ランプ制御ユニットや表示制御ユニット等の複数の副制御ユニットは、遊技盤に設けられている。ここで、電源ユニットは、商用電源から給電されて、主制御ユニット及び複数の副制御ユニットを作動させるようになっている。
【０００３】
【発明が解決しようとする課題】
ところで、上記パチンコ機では、枠状本体は、上述のごとく、機種交換の際に交換されない場合があるため、この場合には、電源ユニットは、主制御ユニット及び複数の副制御ユニットに比べて、枠状本体にそのまま長く設置される傾向にある。
【０００４】
また、当該電源ユニットが停電等の発生により商用電源から遮断された場合に、主制御ユニットや複数の副制御ユニットにおける遊技制御終了処理のため、バックアップコンデンサとして、電解コンデンサを電源ユニットに設けて、この電解コンデンサの充電電圧に基づく電力を利用して主制御ユニットや複数の副制御ユニットを作動させるようにしている。
【０００５】
しかし、電解コンデンサの静電容量は、当該電解コンデンサが古くなる程その経年劣化により減少していく。このため、上記経年劣化が進む程、上述した主制御ユニットや複数の副制御ユニットの終了処理に必要な十分な電力が、当該電解コンデンサからは得られ難くなり、その結果、例えば停電の際に、当該電解コンデンサの電力によっては、主制御ユニットや複数の副制御ユニットにおける遊技制御終了処理が適正には行われないという不具合を招く。
【０００６】
そこで、本発明は、以上のようなことに対処すべく、電源ユニットの主予備電源手段の劣化による放電容量の減少を補うため、スペース上比較的余裕のある主制御ユニットや副制御ユニットの配線板に、補助予備電源手段を設ける予備領域を予め確保するようにした遊技機を提供することを目的とする。
【０００７】
【課題を解決するための手段】
上記課題の解決にあたり、本発明に係る遊技機は、請求項１の記載によれば、
外部電源に接続される電源ユニット（ＰＵ）を設けてなる遊技機本体と、
この遊技機本体に着脱可能に組み付けられる遊技機ユニットと、この遊技機ユニットの制御ユニット（ＣＵ）とを備え、
電源ユニットは、外部電源から給電されたとき直流出力を発生する直流出力源（２０ａ）と、この直流出力源の直流出力で充電される主予備電源手段（６０）とを備え、
制御ユニットは、配線板（７０）と、この配線板に設けられて当該配線板を介し直流出力源から直流出力を受けて遊技状態を制御する制御手段（９０）とを備え、
外部電源の給電遮断時には、制御手段は、上記直流出力に代えて、主予備電源手段の充電出力を受けて、上記遊技状態の保全処理を行う。
【０００８】
当該遊技機において、配線板には、主予備電源手段の劣化に伴う放電容量の減少を補うように、当該主予備電源手段と並列予備電源回路を構成する補助予備電源手段（１００）を設けるための予備領域（Ａ）が予め設けられていることを特徴とする。
【０００９】
これにより、主予備電源手段の放電容量が当該主予備電源手段の劣化により減少したときには、補助予備電源手段を配線板の予備領域に設けて補助予備電源手段と並列予備電源回路を構成するので、主予備電源手段の劣化による放電容量の減少を当該並列予備電源回路の放電容量でもって補うことができる。
【００１０】
このため、停電等により外部電源の給電が遮断して直流出力源の直流出力の発生が停止しても、制御手段は、当該直流出力に代えて、上記並列予備電源回路の充電出力を受けて、上記遊技状態の保全処理を適正に行うことができ、遊技上重要なデータのバックアップ処理を確保し得る。その結果、並列予備電源回路の充電電圧が、停電からの復帰時に適正に維持されておれば、正しく停電直前の制御処理が行われ、遊技者に不満を与えることがない。
【００１１】
なお、請求項１に記載の発明において、遊技機本体としては、パチンコ機では例えば枠状本体が挙げられ、スロットマシンでは例えばマシン本体が挙げられる。また、遊技機ユニットとしては、パチンコ機では例えば遊技盤が挙げられ、スロットマシンではリールユニットが挙げられる。
【００１２】
また、本発明において、電源ユニットには、当該電源ユニットの製造時期或いは当該電源ユニットを前記遊技機本体に設けた時期が表示されているようにすれば、主予備電源手段の劣化状態が、当該表示時期により容易に判断できる。従って、配線板の上記予備領域に補助予備電源手段を設ける時期が容易に予測できるとともに、主予備電源手段の劣化による放電容量の減少度合いを明確に判断できる。その結果、当該補助予備電源手段の放電容量を、主予備電源手段の放電容量の減少度合いを適正に補うように選定できる。
【００１３】
なお、上記各手段の括弧内の符号は、後述する実施形態に記載の具体的手段との対応関係を示すものである。
【００１４】
【発明の実施の形態】
以下、本発明の一実施形態を図面に基づいて説明する。図１は、本発明に係るパチンコ機の要部の一例を示している。当該パチンコ機は、枠状本体（図示しない）と、この枠状本体とは別体の遊技盤（図示しない）とを備えており、当該遊技盤は、上記枠状本体に着脱可能に組み付けられている。
【００１５】
上記枠状本体は、図１にて示す電源ユニットＰＵを備え、一方、上記遊技盤は、図１にて示す賞球制御ユニットＣＵを備えている。電源ユニットＰＵは、配線板１０と、この配線板１０に配設した二重全波整流回路２０、電解コンデンサ３０、両レギュレータ回路４０、５０及び電解コンデンサ６０とを備えている。なお、配線板１０は、プリント基板等の配線基板の表面に配線パターンを印刷して構成されている。
【００１６】
二重全波整流回路２０は、全波整流器２０ａを備えており、この全波整流器２０ａは、４つのダイオード２１〜２４により、交流電源ＰＳからの交流電圧（ＡＣ２４Ｖ）を全波整流するように構成されている。当該二重全波整流回路２０は、全波整流器２０ｂを備えており、この全波整流器２０ｂは、全波整流器２０ａの両ダイオード２１、２３及び両ダイオード２５、２６により、交流電源ＰＳからの交流電圧を全波整流するように構成されている。なお、交流電源ＰＳは、商用交流電源（図示しない）からの交流電圧１００（Ｖ）を印加されて交流電圧（ＡＣ２４（Ｖ））を発生する。
【００１７】
電解コンデンサ３０は、全波整流器２０ｂから全波整流出力を受けて充電され充電電圧Ｖａ（ＤＣ２４Ｖ）を発生する。なお、電解コンデンサ３０はバックアップコンデンサ３０ともいい、充電電圧Ｖａは、バックアップ電圧Ｖａともいう。本実施形態では、電解コンデンサ３０の正側端子は、全波整流器２０ｂの両ダイオード２５、２６の各カソードと共に、配線板１０の上記配線パターン中の正側ライン１０ａに接続され、当該電解コンデンサ３０の負側端子は、全波整流器２０ａの両ダイオード２１、２３の各アノードと共に、配線板１０の配線パターン中の負側ライン１０ｂに接続されている。
【００１８】
レギュレータ回路４０は、全波整流器２０ａから全波整流出力を受けてレギュレータ電圧Ｖｂ（ＤＣ１２（Ｖ））を発生する。本実施形態では、当該レギュレータ回路４０は、入力側コンデンサ４１、レギュレータ４２及び出力側コンデンサ４３をπ型接続して構成されており、コンデンサ４３の正側端子は、レギュレータ４２の出力端子と共に、配線板１０の上記配線パターン中の正側ライン１０ｃに接続され、両コンデンサ４１、４３の負側端子は、レギュレータ４２の負側端子と共に配線板１０の上記配線パターン中の負側ライン１０ｄに接続されている。なお、負側ライン１０ｄは負側ライン１０ｂの一部を介して両ダイオード２１、２３の各アノードに接続されている。
【００１９】
また、レギュレータ回路５０は、全波整流器２０ａから全波整流出力を受けてレギュレータ電圧Ｖｂ（ＤＣ１２（Ｖ））を発生する。このレギュレータ回路５０は、入力側コンデンサ５１、レギュレータ５２及び出力側コンデンサ５３をπ型接続して構成されており、両コンデンサ５１、５３の負側端子は、レギュレータ５２の負側端子と共に、上記負側スライン１０ｄに接続されている。また、コンデンサ５３の正側端子は、レギュレータ５２の出力端子と共に、配線板１０の配線パターン中の正側ライン１０ｅに接続されている。
【００２０】
電解コンデンサ６０は、その負側端子にて、負側ライン１０ｄに接続されており、この電解コンデンサ６０の正側端子は全波整流器２０ａの両ダイオード２２、２４の各カソードに接続されている。これにより、電解コンデンサ６０は、全波整流器２０ａの全波整流出力により充電されて充電電圧を発生し、両レギュレータ回路４０、５０に印加する。このことは、両レギュレータ回路４０、５０は、電解コンデンサ６０から充電電圧を印加されることによっても、レギュレータ電圧Ｖｂを発生することを意味する。
【００２１】
本実施形態では、電解コンデンサ６０の放電時定数は、マイクロコンピュータ９０ａの停電に伴う終了制御処理を行うに要する時間を満たすように、当該電解コンデンサ６０の静電容量が選定されている。なお、電解コンデンサ６０は、バックアップコンデンサともいい、電解コンデンサ６０の充電電圧をバックアップ電圧ともいう。
【００２２】
また、本実施形態では、電源ユニットＰＵを上記枠状本体に設けた時期が、当該電源ユニットＰＵの適所に印刷やマークの添付等により表示されている。
【００２３】
賞球制御ユニットＣＵは、配線板７０と、この配線板７０に配設した駆動回路８０及び制御回路９０とを備えている。なお、配線板７０は、プリント基板等の配線基板の表面に配線パターンを印刷して構成されている。
【００２４】
駆動回路８０は、全波整流器２０ｂからの全波整流電圧或いはバックアップコンデンサ３０からのバックアップ電圧を正負両側ライン１０ａ、１０ｂ、両配線Ｌａ、Ｌｃ及び配線板７０の配線パターン中の正負両側ライン７０ａ、７０ｂを介し印加された状態で、後述する制御回路９０ａによる制御のもと賞球用直流電動機Ｍを駆動する。なお、直流電動機Ｍは、上記枠状本体に配設されており、この直流電動機Ｍは、その正側端子にて、駆動回路８０の出力端子に接続され、その負側端子にて、配線板７０の配線パターン中のアースライン７０ｂに接続されている。
【００２５】
制御回路９０は、ＣＰＵ９１、ＲＯＭ９２及びＲＡＭ９３（揮発性メモリ）を有するマイクロコンピュータ９０ａを主たる構成素子として備えるもので、このマイクロコンピュータ９０ａは、ＣＰＵ９１により、図２にて示すフローチャートに従い主制御プログラムを実行することで、電源投入時処理、メインループ処理や電源遮断時処理を行う。また、マイクロコンピュータ９０ａは、ＣＰＵ９１により、図３にて示すフローチャートに従いタイマ割り込み制御プログラムを実行することで、賞球センサＳの検出出力に基づく賞球制御処理や駆動回路８０を介し直流電動機Ｍを駆動制御する処理を行う。
【００２６】
本実施形態では、上記主制御プログラム及びタイマ割り込み制御プログラムは、ＲＯＭ９２に予め記憶されている。また、ＣＰＵ９１、ＲＯＭ９２及びＲＡＭ９３は、その各電源端子にて、配線板７０の配線パターン中の正側ライン７０ｃ及び配線Ｌｂを通して配線板１０の正側ライン１０ｃに接続されており、これらＣＰＵ９１、ＲＯＭ９２及びＲＡＭ９２の各負側端子は、配線板７０の配線パターン中のアースラインに接地されている。なお、配線板７０の配線パターン中のアースライン７０ｄは、配線Ｌｄを通して配線板１０の負側ライン１０ｄに接続されて、当該負側ライン１０ｄを接地している。また、配線板７０の配線パターン中のアースライン７０ｉは、配線Ｌｃを通して配線板１０の負側ライン１０ｂに接続されて、当該負側ライン１０ｂを接地している。
【００２７】
賞球センサＳは、上記遊技盤の適所に配設されており、この賞球センサＳは、当該パチンコ機による遊技中において発生する賞球数を検出し、検出データとして配線板７０の配線パターン中の信号ライン７０ｅを通してマイクロコンピュータ９０ａに出力する。なお、当該賞球センサＳは、レギュレータ回路５０から正負両側ライン１０ｅ、１０ｄ、配線Ｌｅ、Ｌｄ及び配線板７０の配線パターン中の正側ライン７０ｆ、アースライン７０ｄを介してレギュレータ電圧を印加されて、検出作動状態になる。
【００２８】
次に、本発明の要部の構成を図１を参照して説明すると、配線板７０の配線パターン上の図１にて図示二点鎖線で囲う領域Ａ（以下、予備領域Ａともいう）は、電解コンデンサからなる補助コンデンサ１００を配設するための領域として、賞球制御ユニットＣＵの配線設計時に予め設けられている。また、配線板７０の配線パターンの印刷の際に、予備の正側ライン７０ｇが、図１にて示すごとく、当該予備領域Ａ内に延在するように、予め形成されている。この正側ライン７０ｇは、補助コンデンサ１００の正側端子を接続するためのものであって、配線Ｌｆ及び配線板１０の配線パターンに予め形成した正側ライン１０ｆを介してバックアップコンデンサ６０の正側端子に接続されている。
【００２９】
これにより、補助コンデンサ１００が、その正側端子にて、配線板７０の配線パターンの正側ライン７０ｇに接続され、その負側端子にて、配線板７０の配線パターン中のアースライン７０ｈに接続されたとき、当該補助コンデンサ１００はバックアップコンデンサ６０との間で並列コンデンサ回路を構成する。
【００３０】
このように補助コンデンサ１００のための予備領域Ａを予め配線板７０に設けるようにしたのは、本明細書の冒頭にて述べたように、電源ユニットＰＵのバックアップコンデンサ６０の静電容量は、当該バックアップコンデンサ６０の経年劣化により減少することを考慮して、補助コンデンサ１００をバックアップコンデンサ６０に並列接続可能とすることで、このバックアップコンデンサ６０の静電容量不足を補助コンデンサ１００の静電容量でもって補うようにするためである。
【００３１】
但し、当該補助コンデンサ１００の静電容量は、この静電容量とバックアップコンデンサ６０の劣化後の静電容量との和が、バックアップコンデンサ６０が新品のとき（上記遊技盤の上記枠状本体への取り付け時）の静電容量となるように選定される。なお、上記各配線Ｌａ〜Ｌｆは、フレキシブルプリント配線板の各配線を構成する。
【００３２】
本実施形態では、上記枠状本体が新品の状態で設置された後１年経過する毎に、バックアップコンデンサ６０の静電容量が、当該バックアップコンデンサの経年劣化によりどのように減少していくかを予め調べた。そして、上記枠状本体が新品の状態で設置された後１年経過時におけるバックアップコンデンサ６０の静電容量の減少分に相当した静電容量を有する電解コンデンサを補助コンデンサ（以下、第１補助コンデンサともいう）として採用し、上記枠状本体が新品の状態で設置された後２年経過時におけるバックアップコンデンサ６０の静電容量の減少分に相当じた静電容量を有する電解コンデンサを補助コンデンサ（以下、第２補助コンデンサともいう）として採用することとした。
【００３３】
以上のように構成した本実施形態において、当該パチンコ機の枠状本体及び遊技盤が共に新品であれば、電源ユニットＰＵのバックアップコンデンサ６０も新品のままで劣化していない。従って、当該バックアップコンデンサ６０の静電容量は減少しておらず適正値を有する。このため、賞球制御ユニットＣＵの配線板７０の予備領域Ａには、補助コンデンサ１００は設けられていない。
【００３４】
このような状態において、交流電源ＰＳが上記商用電源から給電されて交流電圧を発生すると、電源ユニットＰＳの二重全波整流回路２０が、当該交流電圧を各全波整流器２０ａ、２０ｂにより全波整流する。これに伴い、全波整流器２０ｂは、その全波整流出力を、電解コンデンサ３０に印加するとともに、正負両側ライン１０ａ、１０ｂ及び上記フレキシブル配線板の両配線Ｌａ、Ｌｃを通して駆動回路８０に印加する。このため、この駆動回路８０は作動状態になる。ここで、電解コンデンサ３０は、全波整流器２０ｂの全波整流出力により充電されて充電電圧を発生する。なお、当該電解コンデンサ３０も現段階では新品のまま故、この電解コンデンサ３０の充電電圧は適正値である。
【００３５】
また、全波整流器２０ａは、その全波整流出力を、バックアップコンデンサ６０に印加するとともに両レギュレータ回路４０、５０に印加する。ここで、バックアップコンデンサ６０は、全波整流器２０ａの全波整流出力により充電されて充電電圧を発生する。なお、当該バックアップコンデンサ６０も現段階では新品のまま故、このバックアップコンデンサ６０の充電電圧は適正値である。
【００３６】
上述のように、全波整流器２０ａの全波整流出力がレギュレータ回路４０に印加されると、このレギュレータ回路４０は、当該全波整流出力に基づきレギュレータ電圧Ｖｂを発生し正負両側ライン１０ｃ、１０ｄ、上記フレキシブル配線板の両配線Ｌｂ、Ｌｄ及び配線板７０の正側ライン７０ｃ、アースライン７０ｄを通して賞球制御回路ＣＵの制御回路９０に印加する。このため、制御回路９０は作動状態になる。
【００３７】
また、上述のように、全波整流器２０ａの全波整流出力がレギュレータ回路５０に印加されると、このレギュレータ回路５０は、当該全波整流出力に基づきレギュレータ電圧Ｖｃを発生し正負両側ライン１０ｅ、１０ｄ、上記フレキシブル配線板の両配線Ｌｅ、Ｌｄ及び配線板７０の正側ライン７０ｆ、アースライン７０ｄを介して賞球センサＳに印加する。このため、この賞球センサＳは検出作動状態になる。
【００３８】
上述のように制御回路９０が作動状態になると、マイクロコンピュータ９０ａは、その作動のもと、ＣＰＵ９１により、図２のフローチャートに従い主制御プログラムを実行する。即ち、電源投入時処理１００では、レギュレータ回路４０から制御回路９０へのレギュレータ電圧Ｖｂの入力に伴う処理がなされる。例えば、ＲＡＭ９３へのアクセス許可や上記タイマ割り込み制御プログラムの割り込み許可等がなされる。
【００３９】
上述の電源投入時処理１００の処理後、メインループ処理２００において、ステップ２１０で停電か否かが判定される。ここで、この停電の有無は、全波整流器２０ａの全波整流出力の発生停止の有無で判定される。現段階では、上記商用電源からの給電に基づき全波整流器２０ａは全波整流出力の発生を維持していることから、ステップ２１０での判定はＮＯとなり、非当落乱数更新処理２２０にて、非当落乱数の更新処理がなされる。このメインループ処理２００は、全波整流器２０ａが全波整流出力の発生を維持していることを前提に繰り返される。
【００４０】
このような状態において、上記タイマ割り込み制御プログラムのタイマ割り込み時期が到来すると、マイクロコンピュータ９０ａは、ＣＰＵ９１により、図３のフローチャートに従い、上記タイマ割り込み制御プログラムによるタイマ割り込み処理を開始する。このタイマ割り込み処理では、当落乱数更新処理４００において、当落乱数の更新処理がなされ、賞球制御処理５００では、賞球センサＳの検出出力に基づく遊技球の賞球数の払い出し制御処理がなされる。この処理に伴い、賞球数の払い出しデータがＲＡＭ９３に格納される。ついで、モータ制御処理６００で、当該払い出し制御処理に伴い、駆動回路８０により直流モータＭを駆動制御するように処理される。これに伴い、上記賞球数の遊技球が払い出される。なお、モータ制御処理６００での払い出し処理後、ステップ７００において、割り込み許可の処理がなされる。
【００４１】
以上のような状態において、突然の停電により上記商用電源からの給電が停止すると、両全波整流器２０ａ、２０ｂの各全波整流出力の発生が停止する。すると、両レギュレータ回路４０、５０は、全波整流器２０ａの全波整流出力に代えて、バックアップコンデンサ６０の充電電圧に基づく充電電力を受けて、レギュレータ電圧Ｖｂ、Ｖｃの出力を維持する。
【００４２】
現段階では、バックアップコンデンサ６０は劣化していないため、当該バックアップコンデンサ６０の充電電圧は適正であるから、レギュレータ回路４０、５０の各レギュレータ電圧に基づく電力は、上記停電に伴うマイクロコンピュータ９０ａの終了制御処理及び賞球センサＳの検出作動に要する電力を十分に満たす。このため、上記停電後も、制御回路９０の作動及び賞球センサＳの作動が維持される。このような状態で、マイクロコンピュータ９０ａは、ＣＰＵ９１により、終了制御処理を行う。
【００４３】
即ち、上記停電に伴う全波整流器２０ａの全波整流出力の停止に基づき、図２のステップ２１０においてＹＥＳと判定されると、電源遮断時処理３００において、ステップ３１０で上記タイマ割り込み制御プログラムによるタイマ割り込みが禁止され、ステップ３２０でバックアップフラグがセットされ、ステップ３３０でＲＡＭ９３へのアクセス禁止処理がなされ、その後無限ループ処理（タイムアウト時間約１７５ｍｓ）に移行する。これにより、ＲＡＭ９３への格納賞球データが維持される。なお、上記バックアップフラグのセットは、バックアップコンデンサ６０によりバックアップがなされていることを表すもので、このバックアップフラグのセットは、上記商用電源が停電の復旧により給電を再開したときに、マイクロコンピュータ９０ａの処理において解除される。
【００４４】
また、上記遊技盤を新品の状態で上記新品の枠状本体に組み付けた後１年経過時には、バックアップコンデンサ６０は劣化してその静電容量が減少している。この静電容量の劣化度合いは、上記１年の経過時に対応した度合いである。そこで、上記第１補助コンデンサを、補助コンデンサ１００として、バックアップコンデンサ６０と並列コンデンサ回路を構成するように、配線板７０の予備領域Ａにて正側ライン７０ｇと接地ライン７０ｈとの間に電気的に接続する。
【００４５】
このため、バックアップコンデンサ６０と補助コンデンサ１００との静電容量の和は、バックアップコンデンサ６０の新品のとき（上記遊技盤を新品の状態で上記新品の枠状本体に組み付けたとき）の静電容量にほぼ等しくなる。これにより、上記遊技盤を新品の状態で上記新品の枠状本体に組み付けた後１年経過時において、この１年経過により生ずるバックアップコンデンサ６０の静電容量の減少分を上記第１補助コンデンサの静電容量で補うことができる。
【００４６】
このような状態において、上述と同様に全波整流器２０ａが全波整流出力を発生すると、この全波整流出力は、バックアップコンデンサ６０及び両レギュレータ回路４０、５０に印加されるとともに、正負両側ライン１０ｆ、１０ｇ及び両配線Ｌｆ、Ｌｄを通して第１補助コンデンサである補助コンデンサ１００に印加される。このことは、全波整流器２０ａの全波整流出力が、両レギュレータ回路４０、５０と、バックアップコンデンサ６０及び上記第１補助コンデンサである補助コンデンサ１００の並列コンデンサ回路とに印加されることを意味する。
【００４７】
このため、当該並列コンデンサ回路でのバックアップコンデンサ６０及び補助コンデンサ１００の各静電容量の和に基づき、上記並列コンデンサ回路が全波整流器２０ａの全波整流出力でもって充電されて充電電圧を発生する。換言すれば、上記並列コンデンサ回路は、新品のバックアップコンデンサ６０の充電電圧に基づく充電電力を蓄える。
【００４８】
このような状態において、上述と同様に停電により全波整流器２０ａが全波整流出力の発生を停止すると、バックアップコンデンサ６０及び上記第１補助コンデンサである補助コンデンサ１００の並列コンデンサ回路の充電電圧が、当該全波整流出力に代えて、両レギュレータ回路４０、５０に印加される。これに伴い両レギュレータ回路４０、５０から制御回路９０及び賞球センサＳに出力される各レギュレータ電圧は、バックアップコンデンサ６０が新品のときに両レギュレータ回路４０、５０から出力される各レギュレータ電圧Ｖｂ、Ｖｃにほぼ等しい。
【００４９】
このため、上記遊技盤を新品の状態で上記新品の枠状本体に組み付けた後１年経過後２年経過前において停電した場合にも、この停電後、賞球センサＳは、レギュレータ回路５０からのレギュレータ電圧に基づき新品のバックアップコンデンサ６０のときと同様の十分な電力のもとに検出作動を行うとともに、制御回路９０のマイクロコンピュータ９０ａは、新品のバックアップコンデンサ６０のときと同様に十分な電力のもとに作動して、ＣＰＵ９１により、主制御制御プログラムの実行により、上述と同様にして、メインループ処理２００及び電源遮断時処理３００の処理を通じ終了制御処理を行い、ＲＡＭ９３への格納賞球データを維持する。
【００５０】
また、上記遊技盤を新品の状態で上記新品の枠状本体に組み付けた後２年経過時には、上記第２補助コンデンサを、上記第１補助コンデンサに代えて、補助コンデンサ１００として、バックアップコンデンサ６０と並列コンデンサ回路を構成するように、配線板７０の予備領域Ａにて正側ライン７０ｇと接地ライン７０ｈとの間に電気的に接続する。
【００５１】
このため、バックアップコンデンサ６０と補助コンデンサ１００との静電容量の和は、バックアップコンデンサ６０の新品のとき（上記遊技盤を新品の状態で上記新品の枠状本体に組み付けたとき）の静電容量にほぼ等しくなる。これにより、上記遊技盤を新品の状態で上記新品の枠状本体に組み付けた後２年経過時において、この２年経過により生ずるバックアップコンデンサ６０の静電容量の減少分を上記第２補助コンデンサの静電容量で補うことができる。
【００５２】
このように補助コンデンサ１００を上記第２補助コンデンサで構成した状態において、上記停電が生じた際には、バックアップコンデンサ６０と並列コンデンサ回路を構成する補助コンデンサ１００（上記第２補助コンデンサからなる）が上記第１補助コンデンサである場合と同様に、両レギュレータ回路４０、５０の各レギュレータ電圧は、バックアップコンデンサ６０と上記第２補助コンデンサである補助コンデンサ１００との並列コンデンサ回路の充電電圧でもって、新品のバックアップコンデンサ６０の場合に両レギュレータ回路４０、５０から出力される各レギュレータ電圧Ｖｂ、Ｖｃに維持される。
【００５３】
よって、上記遊技盤を新品の状態で上記新品の枠状本体に組み付けた後２年経過後３年経過前において、停電が生じた際には、この停電後も、賞球センサＳは、レギュレータ回路５０からのレギュレータ電圧に基づき新品のバックアップコンデンサ６０のときと同様の十分な電力のもとに検出作動を行うとともに、制御回路９０のマイクロコンピュータ９０ａは、新品のバックアップコンデンサ６０のときと同様に十分な電力のもとに作動して、ＣＰＵ９１により、主制御制御プログラムの実行により、上述と同様にして、メインループ処理２００及び電源遮断時処理３００の処理を通じ終了制御処理を行い、ＲＡＭ９３への格納賞球データを維持する。
【００５４】
以上説明したように、バックアップコンデンサ６０の劣化による静電容量の減少を、当該バックアップコンデンサ６０の補助コンデンサ１００（上記第１或いは第２の補助コンデンサ）との並列コンデンサ回路で補うことで、バックアップコンデンサ６０が新品のときの静電容量を確保するようにした。このため、停電の際に制御回路９０がマイクロコンピュータ９０ａでもって行う終了制御処理に要する電力が、バックアップコンデンサ６０の劣化にもかかわらず、維持できる。従って、停電の際のマイクロコンピュータ９０ａにより終了制御処理が適正に行われ、ＲＡＭ９３への格納賞球データが消滅することなく維持される。その結果、上記並列コンデンサ回路の充電電圧が、停電からの復帰時に適正に維持されておれば、上記ＲＡＭ９３の格納賞球データに基づき、正しく払い出し制御処理が行われ、遊技者に不満を与えることがない。
【００５５】
また、補助コンデンサ１００を設けるための予備領域Ａは、比較的スペースをとり易い配線板７０を活用してこの配線板７０上に設けることとし、当該予備領域Ａには、配線板７０の配線パターンにおいて、予め、補助コンデンサ１００を接続するための正側ライン７０ｇ及びアースライン７０ｈを設けてある。従って、補助コンデンサ１００は、バックアップコンデンサ６０の劣化度合いに合わせて、当該予備領域Ａにおいて正側ライン７０ｇ及びアースライン７０ｈの間に接続するのみでよい。
【００５６】
また、上述した１年の経過時或いは２年の経過時において、上記枠状本体に組み付けてある遊技盤を、新品の各遊技盤に交換するとすれば、この交換時に、上記第１或いは第２の補助コンデンサを、新品の遊技盤の配線板７０の予備領域Ａに接続すれば、当該パチンコ機は別機種のパチンコ機として提供できる。但し当該新品の遊技盤は、少なくとも、その配線板において、上記枠状本体に組み付けてある遊技盤と同様の構成を有する。
【００５７】
また、上述のように、電源ユニットＰＵを上記枠状本体に設けた時期が、当該電源ユニットＰＵの適所に表示されているので、当該電源ユニットＰＵの上記枠状本体への配設期間を、当該表示により正しく判断できる。その結果、上記第１或いは第２の補助コンデンサを補助コンデンサ１００として配線板７０の予備領域Ａに設ける時期を正しく認識することができる。
【００５８】
なお、上記実施形態では、電源ユニットＰＵの配設後１年或いは２年の経過時に上記第１或いは第２の補助コンデンサを補助コンデンサ１００として配線板７０の予備領域Ａに設ける例について説明したが、これに限らず、例えば、電源ユニットＰＵの配設後３年或いは４年の経過時に第３或いは第４の補助コンデンサを予備領域Ａに設けるようにしてもよい。
【００５９】
また、本発明の実施にあたり、電源ユニットＰＵの製造時期を、当該電源ユニットＰＵを上記枠状本体に設けた時期に代えて、電源ユニットＰＵの適所に表示するようにしても、この表示により上記実施形態と同様の作用効果を達成できる。
【００６０】
また、本発明の実施にあたり、パチンコ機に代えて、スロットマシンに本発明を適用してもよい。具体的には、スロットマシンのリールユニットを交換することで、当該スロットマシンを別機種にすることができることに着目して、当該交換のときに、リールユニットの適所に予め設けた予備領域に補助コンデンサを設けることで、スロットマシンのマシン本体に設けた電源ユニットのバックアップコンデンサと当該補助コンデンサで並列コンデンサ回路を構成すれば、本発明と実質的に同様の作用効果を達成できる。
【００６１】
また、本発明の実施にあたり、賞球制御ユニットＣＵに代えて、或いはこの賞球制御ユニットＣＵに限ることなく、例えば、遊技盤に設けた主制御ユニット、音声制御ユニットや表示制御ユニットの配線板に予備領域Ａを予め設けてもよい。これにより、当該予備領域Ａに補助コンデンサ１００を上記実施形態と同様に設けることで、当該実施形態と実質的に同様の作用効果を達成できる。
【００６２】
また、本発明の実施にあたり、上記実施形態にて述べたバックアップコンデンサ及び補助コンデンサに代えて、それぞれ、充放電可能な二次電池（例えば、Ｎｉ−Ｃｄ電池やＮｉ−ＭＨ電池）を採用してもよい。
【図面の簡単な説明】
【図１】本発明の一実施形態を示す電気回路図である。
【図２】図１のマイクロコンピュータにより実行される主制御プログラムを示すフローチャートである。
【図３】図１のマイクロコンピュータにより実行されるタイマ割り込み制御プログラムを示すフローチャートである。
【符号の説明】
Ａ…予備領域、ＣＵ…賞球制御ユニット、ＰＵ…電源ユニット、
２０ａ…全波整流器、６０…電解コンデンサ（バックアップコンデンサ）、
７０…配線板、９０…制御回路、１００…補助コンデンサ。
【図１】
2004187994.tif 000003
【図２】
2004187994.tif 000004
【図３】
2004187994.tif 000005